(57)【要約】  本考案に係るスリップ防止型目印具は、紙、布その他の素材よりなる薄片層、例えば、書籍や雑誌の頁上の特定箇所に付けて目印とする目印具であって、リジッド、セミリジッド又はフレキシブル素材による薄板から構成されており、この薄板は２個の本体部に分割されており、本体部同士は打ち抜き部を介してつながっており、各本体部は他の本体部上に折り畳むことができる。更に、打ち抜き部に形成されるフラップは本目印具の取扱に便利である。各本体部の後面にある磁石は、本目印具を折り畳んだとき、シートを通り抜け得る磁界ひいては機械的相互吸引力を発生させる。この吸引力によって２個の本体部が結びつくため、それらを引き剥がすには逆方向に力を加えねばならない。本目印具は、装着後はその場所に留まるため意図に反しては動かないが、意識して動かすことはできる。
0003129354.tif 000002
【実用新案登録請求の範囲】
【請求項１】
リジッド、セミリジッド又はフレキシブル素材の板により形成されており、必ずしも同じ長さでなく打ち抜き部にて連結されている２個の本体部と、各本体部の後面上に１個ずつある２個の磁石とを備え、一方の本体部が他方の本体部上に折り畳まれるときその面が対向して吸引し合うようこれら磁石が配置され、機械力が加わらない限りこの吸引によって２個の本体部の分離が妨げられることを特徴とする薄片層の中のスポットマーク用のスリップ防止型目印具。
【請求項２】
打ち抜き部が非直線状であり、一方の本体部を他方の本体部上に折り畳むと１個又は複数個のフラップが生じて本目印具の取扱が容易になるよう打ち抜き部の一部が断ち切られており、その一方で打ち抜き部の他の一部は断ち切られておらず従って２個の本体部を一体に保持しつつ一方の本体部を他方の本体部上に折り畳むことができる請求項１記載の薄片層の中のスポットマーク用のスリップ防止型目印具。
【請求項３】
本目印具の磁石を保護すると共に、磁石の縁がマークされた薄片の縁とぶつかることを妨げつつ簡便に位置決めできるようにすべく、その後面が保護膜により被覆された請求項１記載の薄片層の中のスポットマーク用のスリップ防止型目印具。
【請求項４】
光、機械、電気、音響その他の種類の技術を利用した１個又は複数個の識別デバイスを何れかの本体部上に備える請求項１記載の薄片層の中のスポットマーク用のスリップ防止型目印具。
【請求項５】
その本体部、磁石及びフラップが非直線状で曲がり、丸み、傾ぎ又は装飾的形状を有する請求項１記載の薄片層の中のスポットマーク用のスリップ防止型目印具。
【考案の詳細な説明】
【技術分野】
【０００１】
本考案は、本明細書に掲題の如く、薄片層の特定スポットに付けて目印とする目印具に関する。ここでいう薄片とは、例えば、書籍や雑誌の頁であり、紙、布その他の素材により形成されている。本目印具は望み通りに動かすことができるが、任意箇所に装着されたらその位置を保つよう設計されているため、意図に反しては動かない。このような特徴があるため、本目印具は、例えば、書籍に挟む栞として用いるのに理想的である。それは、この特徴により次の条件が満足されるからである。即ち、装着が容易である、装着後に不意に動くことがない、目印した頁で書籍を開いても脱落しない、特定の頁及び行に目印できる、装着位置から容易に取り外すことができる、装着先の薄片の識別に使用できる、という条件である。
【背景技術】
【０００２】
現在、薄片層の特定スポットに付けて目印とする目印具は、普通は機械的器具として実現されている。これは、弾性変形させて所望スポットに装着し、手を離すとその原形復元力によって薄片を加圧変形させ、薄片がリジッドであるならある程度弾性変形した状態を保つ、という器具である。その例としては、通常は２枚の薄片の結束保持等にも用いられるクリップが周知である。こういった仕組みの器具には、その器具から薄片に働く機械的作用によりその薄片が変形するためその器具をその薄片上でスライドさせにくい、という問題点がある。従って、この器具の位置を変えるには、普通は、一旦その器具を取り外して新しい位置に装着することが必要である。
【０００３】
手帳・スケジュール帳、ノート、雑誌、書籍等の多層薄片体の特定の薄片に目印するには、（ａ）ボール紙その他のリジッド又はセミリジッド素材による単純なストリップ、（ｂ）多層シート体の背に取り付けられたフレキシブルなコードまたは紐（ｃ）付箋紙として使用される小型粘着紙片、といった手段を用いてもよいが、手段（ａ）及び（ｂ）では頁に目印できるものの、頁内のあるスポットに目印することはできず、手段（ｃ）では任意のスポットに目印できるものの、粘着部が使用に伴いすり減るため時間経過に伴い使えなくなっていく。
【考案の開示】
【課題を解決するための手段】
【０００４】
本考案に係る目印具は、２個の本体部に分割されたリジッド、セミリジッド又はフレキシブル素材の薄い平板を備える。これらの本体部は、一方を他方に折り畳むことで、その後面同士を接触させられるよう、相互連結する。各本体部の後面上に磁石を配置することにより、それら２個の本体部の後面同士をこれら２個の磁石間の磁気的吸引により固定可能とする。従って、本体部から本体部を引き剥がすには、磁気的吸引力とは逆方向の力を作用させねばならない。
【０００５】
磁石は、２個の本体部を折り畳んで、薄片、例えば、紙片を磁石間に挟み込んだとき、それら磁石間に生じる磁界がこの薄片を通過し本体部間で上述の吸引力が保たれるような磁石とする。
【０００６】
２個の本体部の長さは異なる長さとすることができる。どちらの本体部が長いかを識別するのは容易であるから、薄片のどの位置及びどの面に目印したかを長い方の本体部によって示すことができる。
【０００７】
本体部間には非直線的形状の打ち抜き部を設けることができる。打ち抜き部にて折り畳むとできるフラップによって、装着や取り外しの際の本目印具の取扱が容易になる。
【０００８】
本目印具の（２個の本体部の）後面全体を薄膜により被覆してもよい。この被覆により、本目印具を外観の良いより安全な器具に仕上げられるだけでなく、第１の本体部上に第２の本体部を折り畳んだ状態で単に薄片上をスライドさせるだけで、また磁石の縁を薄片の縁にぶつけることもなく直ちに、本目印具を薄片上に装着できる。
【０００９】
２個の本体部のうち何れにも、光学的、機械的、電気的、音響的その他の形態の識別デバイスを設けることができる。このデバイスは、本考案に係る目印具とその装着先の薄片とを弁別するのに便利である。
【考案を実施するための最良の形態】
【００１０】
別紙図面から看取できるように、本目印具は２個の本体部即ち上本体部１及び下本体部２を有しており、各本体部の後面には、打ち抜き部５から測った距離が等しくなるよう対応して磁石３又は４が担持されている。また、打ち抜き部５は、順番に、カットされている中寄りの非直線状部分と、容易に折り畳めるようにマークされた２箇所の外側直線状部分とを、有している。ここを折り畳むとできるフラップ６により本目印具の装着及び取り外しはより簡便になっている。両本体部を形成する素材はリジッドなものでもセミリジッドなものでもフレキシブルなものでもよく、例えばボール紙等でもよい。磁石は対応する本体部に接着される。
【００１１】
マークされた薄片に本目印具を装着するには、次の手順を実行しなければならない。（ａ）本体部２を本体部１上に折り畳むことにより２個の磁石同士を接触させ吸引力を作用させる。（ｂ）薄片の縁から内側に向け本目印具をスライドさせその薄片を２個の本体部間に挟み込む。（ｃ）マークされたスポットまで本目印具を動かす。
【００１２】
本目印具を薄片から取り外すには、単純に、２個の磁石同士が接触するまで、フラップ６をつまんで優しく引き薄片から本目印具を取り外せばよい。
【図面の簡単な説明】
【００１３】
【図１】上本体部１、下本体部２及び打ち抜き部５を看取できるよう目印具前面を示した図である。
【図２】上本体部１、下本体部２、上本体部磁石３、下本体部磁石４及び打ち抜き部５を看取できるよう目印具後面を示した図である。
【図３】その後面同士が接触しそうなほど上本体部が下本体部上に折り畳まれている（即ち図中の位置から更にいくらか動かせば上本体部が下本体部に接触する）目印具を、折り畳まれている上本体部１と、下本体部２と、上本体部磁石３と、打ち抜き部にて然るべく折り畳むことにより形成されたフラップ６とを、全て看取できるよう示した図である。
【図１】
0003129354.tif 000003
【図２】
0003129354.tif 000004
【図３】
0003129354.tif 000005